(57)【特許請求の範囲】
【請求項１】
一対の鉗子カップに各々駆動レバーが一体に連結形成されて、上記駆動レバーが支軸を中心に回動自在にシースの先端部分に支持され、上記シース内に挿通配置された操作ワイヤを軸線方向に進退操作することにより、上記鉗子カップと駆動レバーとが上記支軸を中心に回動して、上記鉗子カップが嘴状に開閉駆動されるようにした内視鏡用生検鉗子において、
上記駆動レバーが、素材平板を凹ませて形成された鉗子カップの縁部とほぼ同面に位置する残余の素材平板を上記鉗子カップの後端部において略９０°捩じって形成され、
その結果上記駆動レバーが、上記鉗子カップの縁部の同面位置より上方と下方とにまたがっていて、上記鉗子カップの後半部分の左右半部のうち一方の半部は上記駆動レバーの上方部分に対して曲面状につながり、他方の半部は上記駆動レバーの下方部分に対して曲面状につながっていることを特徴とする内視鏡用生検鉗子。
【請求項２】
上記一対の駆動レバーの面どうしを当接させると、上記一対の鉗子カップの縁部どうしが当接する請求項１記載の内視鏡用生検鉗子。
【発明の詳細な説明】
【０００１】
【発明の属する技術分野】
この発明は、内視鏡の鉗子チャンネルに挿通されて手元側からの操作によって先端の鉗子カップが嘴状に開閉される内視鏡用生検鉗子に関する。
【０００２】
【従来の技術】
内視鏡用生検鉗子は一般に、一対の鉗子カップに各々駆動レバーが一体に連結形成されて、駆動レバーが支軸を中心に回動自在にシースの先端部分に支持され、シース内に挿通配置された操作ワイヤを軸線方向に進退操作することにより、鉗子カップと駆動レバーとが支軸を中心に回動して、鉗子カップが嘴状に開閉駆動されるようになっている。
【０００３】
そのような鉗子カップと駆動レバーの一体部品は、以前はステンレス鋼棒材等から切削加工によって形成されていたが、それでは部品コストが著しく高いものになるので、板材からプレス加工によって形成されるようになってきている（特開平９−２７６２８５号、特開平１０−２４０４５号）。
【０００４】
図９は、そのようなプレス加工による従来の内視鏡用生検鉗子の鉗子カップ３と駆動レバー５の一体部品を示している。また、図１０は、鉗子カップ３部分と駆動レバー５部分との境界部分３５の断面を示しており、素材の金属板材を折り返して密着させた構造になっている。
【０００５】
【発明が解決しようとする課題】
使用時に一組の鉗子カップ７を生体の粘膜組織に噛みつかせると、鉗子カップ３に対しては不規則な方向に大きな力が作用して、その集中応力が鉗子カップ３の首部である境界部分３５に作用する。
【０００６】
すると、上述のように素材の金属板材を折り返して密着させた構造の境界部分３５は横方向の曲げ力に対して弱いので、図９に矢印Ａで示される横方向に境界部分３５が曲がり、鉗子カップ３が横に首を振った状態に変形してしまう場合がある。
【０００７】
そこで本発明は、鉗子カップと駆動レバーとをプレス加工により一体に形成して低コストでの製造が可能であり、しかも鉗子カップと駆動レバーとの境界部分が横曲げに強くて変形し難い耐久性の優れた内視鏡用生検鉗子を提供することを目的とする。
【０００８】
【課題を解決するための手段】
上記の目的を達成するため、本発明の内視鏡用生検鉗子は、一対の鉗子カップに各々駆動レバーが一体に連結形成されて、駆動レバーが支軸を中心に回動自在にシースの先端部分に支持され、シース内に挿通配置された操作ワイヤを軸線方向に進退操作することにより、鉗子カップと駆動レバーとが支軸を中心に回動して、鉗子カップが嘴状に開閉駆動されるようにした内視鏡用生検鉗子において、駆動レバーが、素材平板を凹ませて形成された鉗子カップの縁部とほぼ同面に位置する残余の素材平板を鉗子カップの後端部において略９０°捩じって形成されているものである。
【０００９】
なお、駆動レバーが、鉗子カップの縁部の同面位置より上方と下方とにまたがっていて、鉗子カップの後半部分の左右半部のうち一方の半部は駆動レバーの上方部分に対して曲面状につながり、他方の半部は駆動レバーの下方部分に対して曲面状につながっているとよい。
【００１０】
また、一対の駆動レバーの面どうしを当接させると、一対の鉗子カップの縁部どうしが当接するようにするとよい。
【００１１】
【発明の実施の形態】
図面を参照して本発明の実施例を説明する。
図２は内視鏡の鉗子チャンネルに通して使用される内視鏡用生検鉗子を示しており、可撓性シース１は、例えばステンレス鋼線を一定の径で密着巻きしたコイルパイプによって形成されている。
【００１２】
可撓性シース１内には、操作ワイヤ２が軸線方向に進退自在に全長にわたって挿通配置されており、操作ワイヤ２を手元側から軸線方向に進退させることによって、可撓性シース１の先端側に配置された一対の鉗子カップ３ａ，３ｂが開閉駆動される。
【００１３】
可撓性シース１の手元側端部（基端部）には、操作ワイヤ２を進退操作するための操作部１０が連結されており、操作部本体１１とそれに対して軸線方向に進退自在なスライダー１２とに各々指掛け１３，１４が取り付けられている。操作ワイヤ２の基端はスライダー１２に連結されている。
【００１４】
図３と図４は、鉗子カップ３ａ，３ｂが配置されている可撓性シース１の先端部分の側面断面図と平面断面図であり、可撓性シース１の先端に連結固着された先端支持枠４は、スリット４１によって先側半部がフォーク状に大きく分割された形状に形成されている。
【００１５】
一対の鉗子カップ３ａ，３ｂには、各々駆動レバー５ａ，５ｂが一体に連結形成されている。そして、スリット４１を横断するように先端支持枠４の先端付近に取り付けられた支軸９が、駆動レバー５ａ，５ｂに形成された軸孔８に通されていて、一対の鉗子カップ３ａ，３ｂが支軸９を中心にして嘴状に開閉する。７は、ワッシャ状のスペーサである。
【００１６】
操作ワイヤ２として、ステンレス鋼線の撚り線又は単線からなる二本のワイヤ２ａ，２ｂが可撓性シース１内に並べて配置されており、その二本のワイヤ２ａ，２ｂの先端が、可撓性シース１の先端から前方に突出して、駆動レバー５ａ，５ｂの後端付近に形成された小孔６ａ，６ｂに係合している。
【００１７】
このような構成により、操作部１０において操作ワイヤ２を進退操作すると、ワイヤ２ａ，２ｂの先端に連結された駆動レバー５ａ，５ｂが支軸９を中心に回動し、それによって鉗子カップ３ａ，３ｂが嘴状に開閉する。
【００１８】
図１は、一体に形成されている鉗子カップ３ａ，３ｂと駆動レバー５ａ，５ｂを部品単体で示す斜視図であり、図５はその平面図、図６は一部を断面で示す側面図である。
【００１９】
鉗子カップ３ａ，３ｂと駆動レバー５ａ，５ｂは、素材である一枚のステンレス鋼平板からプレス成形されており、まず素材平板を椀状に凹ませて鉗子カップ３ａ，３ｂを形成した後、鉗子カップ３ａ，３ｂの縁部とほぼ同面に位置する残余の素材平板を鉗子カップ３ａ，３ｂの後端部において９０°捩じって平板状の駆動レバー５ａ，５ｂが形成されている。
【００２０】
駆動レバー５ａ，５ｂは、鉗子カップ３ａ，３ｂの縁部の同面位置より上方と下方とにまたがっていて（上方部分Ｕ、下方部分Ｄ）、鉗子カップ３ａ，３ｂの後半部分の左右半部のうち一方の半部（Ｒ）は駆動レバー５ａ，５ｂの上方部分Ｕに対して曲面状につながり、他方の半部（Ｌ）は駆動レバー５ａ，５ｂの下方部分Ｄに対して曲面状につながっている。
【００２１】
このように椀状の鉗子カップ３ａ，３ｂと平板状の駆動レバー５ａ，５ｂとを、９０°捩じれた曲面によってつながれた形状に形成することにより、鉗子カップ３ａ，３ｂと駆動レバー５ａ，５ｂとの境界部分が、縦横いずれの方向にも通常の使用によっては変形しない十分な強度を有する。
【００２２】
図７に示されるように、各駆動レバー５ａ，５ｂの一方の面は、鉗子カップ３ａ，３ｂの縁部に対して直交する鉗子カップ３ａ，３ｂの直径位置に位置しており、一対の駆動レバー５ａ，５ｂの面どうしを当接させると、一対の鉗子カップ３ａ，３ｂの縁部どうしが当接する。したがって、同じ部品を引っくり返して組み合わせればよい。
【００２３】
なお、図８に示されるように、駆動レバー５ａ，５ｂの大きさ等は設計上の要請等に合わせて適宜変えればよい。また、操作ワイヤ２と駆動レバー５ａ，５ｂとの間にパンタグラフ状のリンク機構等を介在させて鉗子カップ３ａ，３ｂを開閉駆動するようにしてもよい。
【００２４】
【発明の効果】
本発明によれば、駆動レバーが、素材平板を凹ませて形成された鉗子カップの縁部とほぼ同面に位置する残余の素材平板を鉗子カップの後端部において略９０°捩じって形成されていることにより、鉗子カップと駆動レバーとをプレス加工により一体に形成して低コストでの製造が可能であり、しかも鉗子カップと駆動レバーとの境界部分が横曲げに強く、通常の使用では変形しない優れた耐久性を得ることができる。
【図面の簡単な説明】
【図１】本発明の第１の実施例の内視鏡用生検鉗子の鉗子カップと駆動レバーの斜視図である。
【図２】本発明の第１の実施例の内視鏡用生検鉗子の全体構成図である。
【図３】本発明の第１の実施例の内視鏡用生検鉗子の操作部の側面断面図である。
【図４】本発明の第１の実施例の内視鏡用生検鉗子の先端部分の平面断面図である。
【図５】本発明の第１の実施例の内視鏡用生検鉗子の鉗子カップと駆動レバーの平面図である。
【図６】本発明の第１の実施例の内視鏡用生検鉗子の鉗子カップと駆動レバーの一部を断面で示す側面図である。
【図７】本発明の第１の実施例の内視鏡用生検鉗子の鉗子カップと駆動レバーの略示正面図である。
【図８】本発明の第２の実施例の内視鏡用生検鉗子の鉗子カップと駆動レバーの一部を断面で示す側面図である。
【図９】従来の内視鏡用生検鉗子の鉗子カップと駆動レバーの斜視図である。
【図１０】図９におけるＸ−Ｘ断面図である。
【符号の説明】
１  可撓性シース
２（２ａ，２ｂ）  操作ワイヤ
３ａ，３ｂ  鉗子カップ
５ａ，５ｂ  駆動レバー
８  軸孔
９  支軸
Ｄ  駆動レバーの下方部分
Ｕ  駆動レバーの上方部分
Ｒ，Ｌ  曲面状のつながり部
【図１】
0004566358.tif 000002
【図２】
0004566358.tif 000003
【図３】
0004566358.tif 000004
【図４】
0004566358.tif 000005
【図５】
0004566358.tif 000006
【図６】
0004566358.tif 000007
【図７】
0004566358.tif 000008
【図８】
0004566358.tif 000009
【図９】
0004566358.tif 000010
【図１０】
0004566358.tif 000011